(57)【特許請求の範囲】
【請求項１】
画像表示装置とスピーカとを備えたカラオケ装置において、
司会進行に係る各種の司会画像データ及び各種の司会音声データと、曲に対応した曲調データとが記憶される司会進行用データ記憶装置と、
先に再生された第１の曲の曲調データと、次に再生される第２の曲の曲調データとに基づいて、上記第１の曲と第２の曲の曲間に出力される司会映像データ及び司会音声データを選択し、上記選択した司会画像データ及び司会音声データを、上記画像表示装置とスピーカとに出力する司会進行用制御装置と
を備えることを特徴とするカラオケ装置。
【請求項２】
上記司会進行用制御装置は、上記選択した司会音声データのテンポを上記第１の曲のテンポから上記第２の曲のテンポとなるように制御する請求項１記載のカラオケ装置。
【請求項３】
上記司会進行用制御装置は、上記選択した司会音声データの再生開始時及び再生終了時において、上記選択した司会音声データと上記第１の曲及び第２の曲とにクロスフェード処理を行う請求項２記載のカラオケ装置。
【発明の詳細な説明】
【０００１】
【発明の属する技術分野】
この発明はカラオケ装置に係り、詳しくは、その場の雰囲気に適した司会進行用の映像と音声を再生出力することで、カラオケをより一層楽しめるようにしたカラオケ装置に関する。
【０００２】
【従来の技術】
カラオケ装置は、多くの人に楽しめられており、その場の雰囲気を一層盛り上げるための様々な演出付加機能が提案されている。ところで、カラオケ装置においては、選曲の時間や、メディアチェンジ、データロード等の次の曲が再生されるまでの時間が長くなると、せっかく盛り上がった雰囲気が妙に白けた雰囲気となってしまうことがある。
【０００３】
このため、例えば特開平５−３３３８９０号「カラオケ装置」公報には、カラオケ伴奏用とＢＧＭ用との演奏情報を共用化することにより、ＢＧＭ専用の記録媒体や再生手段を必要とすることなく、カラオケ伴奏が演奏されていないときにＢＧＭを演奏できるようにしたカラオケ装置が記載されている。
【０００４】
また、特開平６−３１９８４７号「再生機器の当たり設定装置」公報には、カラオケ等の再生機器において、使用者がリクエストしてからリクエスト曲が再生されるまでの間に、スロットルマシンのような当りゲームを楽しむことができるようにした再生機器の当り設定装置が記載されている。かかるカラオケ装置は、この当りゲームによって盛り上がった雰囲気をそのまま維持させる。
【０００５】
さらに、特開平７−３１１５８２号「カラオケシステム」公報には、カラオケの採点結果を利用するゲームと、このゲームの映像表示によって歌い手に直接関係ある映像を楽しませることが可能なカラオケシステムが記載されている。かかるカラオケ装置は、歌い手や参加者に共通の興味と話題を提供して雰囲気の一層の高揚が図られる。
【０００６】
ところで、本出願人も、特開平７−３２０４５８号「複合型ＡＶシステム」公報によって、シャッフル再生機能を有しているディスク再生装置と表示装置等を含むような１台の複合型ＡＶシステムによって、歌い手指定カラオケゲーム、ルーレット或いはビンゴゲーム等のパーティーゲームができ、また、これらのゲームが効果的に演出されるようにした複合型ＡＶシステムを提案している。
【０００７】
なお、他のカラオケ装置の演出機能としては、例えば特開平８−６９６６０号「ＭＤシステム」公報には、ＭＤ（光ミニディスク）のＵＴＯＣ（Ｕｓｅｒ  Ｔａｂｌｅ  Ｏｆ  Ｃｏｎｔｅｎｔｓ）エリアに記録された制御データに基づいて、カラオケ演奏に連動させてその曲名に適合した色のスポットライトを点灯させて、ステージ効果を高めるようにしたＭＤシステムが記載されている。
【０００８】
【発明が解決しようとする課題】
しかしながら、例えばＢＧＭを再生するようにしたカラオケ装置においては、予め設定登録されたＢＧＭを機械的に流すものでその場の雰囲気にふさわしく無いＢＧＭもあって、次の曲が始まるまでの時間が長くなるとかえってその場の雰囲気を白けさすこともあった。また、ゲーム機能を備えたカラオケ装置においても、短時間の雰囲気作りには好適ではあるが、長いつなぎ時間の取り繕いをはたすには充分ではない。
【０００９】
カラオケにおいては、特に選曲をなかなか決められない者が加わっている場合に、時間をかけさせずに選曲させることが極めて重要である。この者達は、例えば上述したゲーム機能が備えられている場合、応々にしてゲームが表示されているとそれに見とれてその間に選曲を行わず参加者の顰蹙をかうことが多い。また、この者達への再三の催促は、その場の雰囲気を一層白けさせてしまうことから極めて難しい。
【００１０】
そこで、カラオケ装置には、上述した機能ばかりでなく、その場の雰囲気に適した映像や音声を自動的に再生させ、例えばディスクジョッキー風に曲紹介を行なったり、予約の催促をしたりすることで、カラオケの雰囲気をさらに盛り上げるような機能の要求も望まれている。
【００１１】
この発明はこのような課題を解決するためなされたもので、曲間の時間等に司会進行に係る映像と音声とを自動的に再生できるようにしたカラオケ装置を提供することを目的とする。
【００１２】
【課題を解決するための手段】
上述の目的を達成するために提案される本発明は、画像表示装置とスピーカとを備えたカラオケ装置において、司会進行に係る各種の司会画像データ及び各種の司会音声データと、曲に対応した曲調データとが記憶される司会進行用データ記憶装置と、先に再生された第１の曲の曲調データと、次に再生される第２の曲の曲調データとに基づいて、第１の曲と第２の曲の曲間に出力される司会映像データ及び司会音声データを選択し、選択した司会画像データ及び司会音声データを、上記画像表示装置とスピーカとに出力する司会進行用制御装置とを備える。
【００１３】
本発明に係るカラオケ装置において、司会進行用データ記憶装置は、選択した司会音声データのテンポを第１の曲のテンポから上記第２の曲のテンポとなるように制御する。
【００１４】
ここで、司会進行用データ記憶装置は、選択した司会音声データの再生開始時及び再生終了時において、選択した司会音声データと第１の曲及び第２の曲とにクロスフェード処理を行う。
【００１５】
以上のように構成されたカラオケ装置によれば、カラオケの進行状況に応じて適当な司会者映像が画像表示装置に表示されるとともに司会者音声がスピーカから出力されることによってバーチャル（仮想）司会機能が発揮されて、曲間の長い時間にも白けた雰囲気を生じさせないようにするとともに雰囲気を一層盛り上げる。また、カラオケ装置は、曲間の時間に、例えば前後の曲調（演歌，ロック等のジャンルや歌の内容）にマッチした映像とトーク（語り）で曲目紹介等を行い、或いは歌唱評価の結果出力を行うことによって、バーチャル（仮想）司会機能がより一層発揮される。
【００１６】
【発明の実施の形態】
以下、この発明の実施の形態について添付図面に基づいて説明する。本発明の実施の形態として示すカラオケ装置１は、図１に示すように、カラオケ再生時の映像，歌詞等を表示するための主画像表示装置２と、司会進行に関する映像を表示する副画像表示装置３と、演出装置４と、複数のスピーカ５と、マイク（マイクロホン）６と、システム制御部７と、ＤＪ（ディスクジョッキー）表示用ユニット８と、ディスクローダ９と、通信カラオケ装置１０と、カラオケ用のリモコン送信機１１と、ＤＪ用の入力端末機１２とからなる。
【００１７】
主画像表示装置２及び副画像表示装置３は、ＣＲＴモニタ装置や液晶モニタ装置等を用いて構成している。なお、カラオケ装置１は、司会進行に関する映像をいずれの画像表示装置２，３にも表示可能であり、主画像表示装置２にこれを表示することによって副画像表示装置３を省略する構成としてもよい。
【００１８】
演出装置４は、ステージ照明やスポットライト等の照明機器によって構成される。この演出装置４は、システム制御部７から供給される演出効果指令信号に基づいて照明オン・オフ、色や明るさ等を調整できるようにしている。なお、演出装置４は、カラオケルーム全体の照明色や明るさ等を調整できるようにしてもよい。
【００１９】
各スピーカ５は、カラオケ伴奏やマイク６からの入力音声と、司会進行に係る音声、音楽等を効果的に再生する。なお、これらスピーカ５については、司会進行に係る音声、音楽等を専用に再生するスピーカを主スピーカと独立のシステムによって構成してもよい。
【００２０】
システム制御部７は、リモコン送信機１１から送信された赤外線等を利用したリモコン信号の受信部と、受信したリモコン信号の内容を判読してその内容に応じたリモコン指令情報を出力するリモコン信号判読部と、リモコン信号判読部から出力されるリモコン指令情報に基づいて各種の動作制御を行なうカラオケ動作制御部と、映像信号処理部と、音声信号処理部と、演出装置制御部とを備える。なお、システム制御部７は、上述した各部が有線の入力装置によって制御されるように構成してもよい。
【００２１】
システム制御部７は、リモコン送信器１１から送信された曲目コードのリモコン指令情報を受け取ると、そのカラオケ動作制御部が受け取った曲目コードを予約曲メモリに予約順序との対応を付けて格納する。カラオケ動作制御部は、現在カラオケ演奏中でない場合は、次に演奏すべき曲目コードを予約曲メモリから読み出して、読み出した曲目コードがディスクローダ９に収納されているビデオ−ＣＤ，光ディスク，ＤＶＤ等のカラオケディスクに収納されている曲であるか否かを登録曲目リストを参照して判定する。カラオケ動作制御部は、次に演奏すべき曲がディスクローダ９に収納されている場合は、ディスクローダ９へ曲目コードを供給して曲の再生を要求する。
【００２２】
ディスクローダ９は、複数のカラオケディスクの中から指定された曲が格納されたカラオケディスクをディスク再生装置に装着した後に、指定された曲を再生する。再生された映像信号及び演奏等の音声信号は、システム制御部７内の映像信号処理部及び音声信号処理部へとそれぞれ供給される。
【００２３】
カラオケ動作制御部は、演奏すべき曲がディスクローダ９に収納されていない場合、通信カラオケ装置１０に対して曲目コードを供給する。通信カラオケ装置１０は、図示しない通信回線等を介して通信カラオケセンターからカラオケ演奏情報を取り寄せた後に、カラオケ演奏の再生を行なう。再生された映像信号ならびに伴奏等の音声信号は、システム制御部７内の映像信号処理部ならびに音声信号処理部へそれぞれ供給される。
【００２４】
なお、図１ではディスクローダ９と通信カラオケ装置１０を併設する構成を示したが、いずれか一方を備えるように構成してもよいことは勿論である。
【００２５】
システム制御部７は、その映像信号処理部から、再生された映像信号をカラオケ用の主画像表示装置２へ供給して、背景画像や歌詞等を表示させる。映像信号処理部は、後述するＤＪ表示用ユニット８から司会進行用の映像信号が供給されると、カラオケ用の映像信号と司会進行用の映像信号とを合成した映像信号を生成し、合成した映像信号をカラオケ用の主画像表示装置２へと供給する。なお、ＰＩＰ（ピクチャインピクチャ）機能等によって合成表示される司会進行用の映像の表示位置は、リモコン送信機１１または入力端末機１２の操作によって変更できるようにしている。また、映像信号処理部は、カラオケ用の映像信号が供給されていない場合、司会進行用の映像をカラオケ用の主画像表示装置２の画面一杯に表示するようにしてもよい。
【００２６】
映像信号処理部は、ＤＪ表示用ユニット８から司会進行用の映像信号が供給されると、供給された司会進行用の映像信号を司会進行用の副画像表示装置３へ供給して、司会進行用の映像を表示させる。なお、映像信号処理部は、司会進行用の映像信号が供給されていない場合は、カラオケ用の映像信号を司会進行用の副画像表示装置３へ供給して、この副画像表示装置３でもカラオケ用の映像を表示するようにしてもよい。
【００２７】
音声信号処理部は、伴奏等の音声信号の音程を調整する音程変換回路と、伴奏等の音声信号とマイク６で集音された歌声等をミキシングするとともにＤＪ表示用ユニット８から供給される司会進行用の音声信号をミキシングするミキシング回路と、複数チャンネルのアンプ回路とを備える。音声信号処理部は、伴奏、歌声、司会進行用の音声等を各スピーカ５から再生させる。なお、再生音量、マイクミキシングのレベル、伴奏等の音程の調整は、リモコン送信機１１の操作によって遠隔操作できるようにしている。
【００２８】
システム制御部７は、ＤＪ表示用ユニット８から供給される演出効果制御信号に基づいてその演出装置制御部において各種の照明の点灯及び光量を調整するための演出効果指令信号を生成し、この演出効果指令信号を演出装置４へと出力する。
【００２９】
入力端末機１２は、ＤＪ表示用ユニット８に対して各種の設定入力を行なうものである。入力端末機１２からの操作入力は、例えば赤外線等を利用した無線リモコン信号としてＤＪ表示用ユニット８内のリモコン信号受信部へ送出される。なお、入力端末機１２は、有線式の操作入力装置の構成としてもよい。この入力端末機１２は、司会進行に関する画像表示や音声表示を行なうか否かの入力操作を行う。入力端末機１２は、カラオケ装置１が複数の司会進行役を選択できるように構成されている場合には、その中から利用者の好みのキャラクタ等を選択操作する。また、入力端末機１２は、必要に応じて曲間にゲームを行なうか否か、歌唱力の採点を行なうか否か等の指定を行なうことができる
【００３０】
ＤＪ表示用ユニット８は、図２に示すように、大きく分けて司会進行用データ記憶装置２１と、司会進行用制御装置２２とから構成される。これら司会進行用データ記憶装置２１と司会進行用制御装置２２とは、ＳＣＳＩ，ＡＴＡＰＩ，ＩＤＥ等のコンピュータ用データバスで接続している。
【００３１】
司会進行用データ記憶装置２１は、例えばＤＶＤやＣＤ−ＲＯＭ等の高密度情報記録媒体とその再生装置とから構成している。なお、司会進行用データ記憶装置２１は、記憶容量の大きい磁気ディスク装置，光磁気ディスク装置等を用いて構成してもよい。
【００３２】
司会進行用データ記憶装置２１には、その高密度情報記録媒体に、司会進行に関する各種の画像データと、司会進行に関する各種の音声データと、画像と音声とを同期させるための同期データと、ミキシング演奏を行なうためのミキシング演奏データと、曲情報データと、場を盛り上げるための各種のアプリケーションデータ等が予め登録されている。なお、これら各種のデータは、例えば司会進行用の画像及び音声データと、曲情報データと、アプリケーションデータといったようにデータ種別毎に複数枚の高密度情報記録媒体に分けて記録されていてもよい。この場合、司会進行用データ記憶装置２１としては、多連装のディスク再生装置や、ディスク自動交換装置（ディスクオートチェンジャ）等によって構成される。
【００３３】
また、司会進行用データ記憶装置２１は、ポップ調，演歌調といったように曲調別に複数種の高密度情報記録媒体を備える構成としてもよい。さらに、司会進行用データ記憶装置２１は、司会進行のタイプ別（司会進行役のキャラクタ別）に複数種の高密度情報記録媒体を備える構成としてもよい。なお、司会進行用データ記憶装置２１は、カラオケ利用者が特定の曲調しか利用しない場合や、特定のタイプの司会進行しか利用しない場合には、所望のタイプに対応した高密度情報記録媒体をカラオケ利用者が選択して、ディスク再生装置へ装着するように構成してもよい。
【００３４】
司会進行用データ記憶装置２１には、司会進行用の画像ならびに音声データとして、複数種類のカラオケ開始時の開始映像データ及び開始音声データと、カラオケ終了時の終了映像データ及び終了音声データと、曲間つなぎ用の映像データ及び音声データとがそれぞれ登録されている。曲間つなぎ用の映像データ及び音声データは、前後の曲の曲調の組合わせデータとの対応を付けて司会進行用データ記憶装置２１に登録されている。例えば、前の曲が演歌調で次に再生する曲がロック調の場合には、そのような状況に適する曲間つなぎ用の映像データ及び音声データが選択できるようにしている。
【００３５】
また、司会進行用の音声データとしては、各種の曲紹介用の音声データが登録されている。この曲紹介用の音声データについても、紹介する曲に応じてその曲に相応しい音声データが選択できるように各種の項目との対応を付けて登録されている。例えば、音声データは、新曲紹介用、ナツメロ紹介用といった曲の新旧に応じて選択され、或いはポップス調、ロック調といった曲調に応じて選択され、さらに日本語、英語等の言語に応じて選択される。
【００３６】
高密度情報記録媒体には、ミキシング演奏データとして、例えばシンセサイザ等の電子楽器を演奏するための音程や音調、音の長さ等のコンピュータミュージック演奏データが各種の曲調との対応を付けて複数種類格納されている。また、高密度情報記録媒体には、曲情報として、曲名データ，歌手名データ，リリース時期のデータ、曲調データ、その曲のピッチデータ等が格納されている。さらに、高密度情報記録媒体には、その曲に適した照明効果用データと、曲中の間奏時間のデータと、カラオケ歌唱者の歌唱力を判断するための重み係数データとが、それぞれ曲目コードとの対応を付けて格納されている。
【００３７】
高密度情報記録媒体には、アプリケーションデータとして、複数種類のゲームデータならびに占いデータ等が登録されている。また、高密度情報記録媒体には、カラオケ歌唱者の歌唱力の採点結果に応じて画像表示装置２、３に映像を表示させる各種の映像データならびに音声データが格納されている。
【００３８】
司会進行用制御装置２２は、図２に示すように、主制御部２３と、曲開始・終了／テンポ判断部２４と、歌唱力判断部２５と、予約状況・設定判断部２６と、画像モジュール２７と、音源モジュール２８と、音声モジュール２９とを備えて構成される。主制御部２３は、マイクロコンピュータ，ＲＡＭ，ＲＯＭ等を備えたマイクロコンピュータシステムを用いて構成している。
【００３９】
曲開始・終了／テンポ判断部２４には、その伴奏信号入力端子にシステム制御部７からカラオケの伴奏信号が供給される。曲開始・終了／テンポ判断部２４は、この供給された伴奏信号のレベルを判定することで、曲の演奏の開始ならびに終了を判断し、演奏開始検出信号ならびに演奏終了検出信号を主制御部２３へ供給する。また、この曲開始・終了／テンポ判断部２４は、伴奏信号の中からキック音を抽出するフィルタと、このフィルタで抽出されたキック音の周期を測定する計時回路を備え、現在再生されている曲のピッチデータを主制御部２３へ供給するよう構成している。
【００４０】
上述したシステム制御部７は、ＭＩＤＩ（Ｍｕｓｉｃａｌ  Ｉｎｓｔｒｕｍｅｎｔｓ  Ｄｉｇｉｔａｌ  Ｉｎｔｅｒｆａｃｅ）規格に対応した音源モジュールを備えている。システム制御部７は、高密度情報記録媒体に格納されている伴奏データがＭＩＤＩ規格に対応した伴奏データである場合は、高密度情報記録媒体から再生されたＭＩＤＩ規格に対応した伴奏データに基づいて伴奏信号を生成するとともに、ＭＩＤＩ規格に対応した伴奏データを曲開始・終了／テンポ判断部２４のＭＩＤＩデータ入力端子へ供給するよう構成している。
【００４１】
そして、曲開始・終了／テンポ判断部２４は、ＭＩＤＩデータ入力端子にＭＩＤＩ規格に対応した伴奏データが供給された場合は、その伴奏データに基づいて曲の演奏の開始及び終了を判断し、演奏開始検出信号と演奏終了検出信号とを主制御部２３へと供給するよう構成している。また、この曲開始・終了／テンポ判断部２４は、ＭＩＤＩ規格に対応した伴奏データに基づいて現在再生している曲のピッチデータを取得して、取得したピッチデータを主制御部２３へと供給するよう構成している。
【００４２】
さらに、システム制御部７は、マイク６で集音された歌唱者の歌声信号を、歌唱力判断部２５へ供給するように構成されている。上述したディスクローダ９に収納されているカラオケディスクは、伴奏の他に主旋律を格納しており、伴奏信号と主旋律信号をそれぞれ独立に出力するよう構成している。また、通信カラオケ装置１０も、伴奏信号と主旋律信号をそれぞれ独立に出力するよう構成している。そして、システム制御部７は、ディスクローダ９又は通信カラオケ装置１０によって再生された伴奏信号に歌唱者の歌声信号をミキシングしてスピーカ５から出力させるとともに、主旋律信号を歌唱力判断部２５へと供給するようにしている。
【００４３】
一方、ディスクローダ９に収納されているカラオケディスクは、間奏期間を示すデータを格納しており、またディスクローダ９は、伴奏や主旋律の再生とともに間奏期間を示すデータを出力するよう構成している。同様に、通信カラオケ装置１０も、間奏期間を示すデータを出力する構成としている。そして、システム制御部７は、ディスクローダ９又は通信カラオケ装置１０から出力された間奏期間を示すデータを歌唱力判断部２５へと供給するようにしている。なお、システム制御部７は、カラオケディスクに間奏期間を示すデータが登録されていない場合や通信カラオケ装置１０から間奏期間を示すデータが出力されない場合において、歌詞表示用のタイムスタンプデータを歌唱力判断部２５へと供給する。
【００４４】
歌唱力判断部２５は、図３乃至図５に示す３種類の判断基準を用いて歌唱者の歌唱力を判断して総合評価データを出力する。カラオケ装置１は、後述するようにこの総合評価データに基づいて主画像表示装置２或いは副画像表示装置３にその判定結果を表示する。
【００４５】
第１の判断基準は、間奏期間と歌声のずれに基づく評価である。歌唱力判断部２５は、歌声信号のレベルと予め設定した比較レベルと比較することで歌唱の有無を判定する歌唱有無判定回路を備えている。この歌唱有無判定回路は、図３（ａ）及び図３（ｂ）に示すように、歌声信号のレベルが比較レベルを越えている場合はＨレベル、歌声信号のレベルが比較レベルを越えていない場合はＬレベルの歌唱有無判定信号を出力する。ここで、歌唱有無判定信号がＨレベルの期間は歌っていると判断した期間、Ｌレベルの期間は歌っていないと判断した期間である。
【００４６】
さらに、歌唱力判断部２５は、伴奏データに基づいて歌が歌われる歌唱期間をＨレベル、間奏期間をＬレベルとした歌唱期間・間奏期間信号を生成する歌唱期間・間奏期間信号生成回路を備える。また、歌唱力判断部２５は、３（ｃ）に示した歌唱期間・間奏期間信号と、図３（ｂ）に示した歌唱有無判定信号とを比較して、間奏期間に入り込んだ歌唱期間の時間Ｔ１（歌唱時間）、及び歌唱期間における歌い始めの遅れ時間Ｔ２（非歌唱時間）とを計時する計時回路を備える。これらの時間Ｔ１，Ｔ２は、間奏期間の度に計時されるとともに、歌唱タイミングずれ時間積算装置において積算される。
【００４７】
歌唱力判断部２５は、上述した第１の判断基準に基づいて、歌うべきでないところで歌っていた歌唱時間Ｔ１と歌うべきところで歌っていなかった非歌唱時間Ｔ２との積算時間とを減点対象とする。
【００４８】
第２の判断基準は、主旋律の音程と歌唱者の歌声の音程とのずれによる判断である。歌唱力判断部２５は、主旋律信号の周波数分析回路と、歌声信号の周波数分析回路と、各周波数分析回路の周波数分析出力を比較して両者の差分を積分する積分回路とを備えている。この積分回路は、図４に示すように、主旋律信号の周波数と歌声信号の周波数との差の絶対値（主旋律の周波数からのずれ分）を積分する。
【００４９】
ここでは、歌唱力判断部２５は、上述した第２の判断基準に基づいて、主旋律信号の周波数と歌唱者の歌声の周波数のずれが大きいほど、またそれらの周波数がずれている期間が長い程、大きい減点対象とする。
【００５０】
第３の判断基準は、周波数（音程）の時系列での移り変わりが大きく違う点を評価対象とするものである。歌唱力判断部２５は、主旋律信号の周波数分析回路の分析出力を微分する回路と、歌声信号の周波数分析回路の分析出力を微分する回路と、各微分回路の微分出力の差の絶対値を積分する積分回路を備えている。そして、微分出力の差の積分回路は、図５に示すように、主旋律の周波数の時間微分信号と歌声信号の周波数の時間微分信号との差の絶対値を積分する。
【００５１】
歌唱力判断部２５は、上述した第３の判断基準に基づいて、周波数（音程）ずれについては直接減点の対象としないが、主旋律の周波数と歌唱者の歌声の周波数の時系列での移り変わり（波形）の違いを減点対象とする。
【００５２】
そして、歌唱力判断部２５は、上述した第１の判断基準乃至第３の判断基準に基づく各判断結果から、次の数１に示す計算式を用いて総合評価値を算出して、算出した総合評価値を主制御部２３へと供給する。
【００５３】
【数１】
0003551631.tif 000002
【００５４】
ここで、数１中の各重み付け係数Ａ、Ｂ、Ｃは、曲毎に設定される。司会進行用データ記憶装置２１には、歌唱者の歌唱力を評価するこれら各重み付け係数Ａ、Ｂ、Ｃが曲目コードとの対応を付けてそれぞれ格納されている。主制御部２３は、予約状況・設定判断部２６を介して供給される曲目コードに基づいて司会進行用データ記憶装置２１内からその曲用の各重み付け係数Ａ，Ｂ，Ｃを読み出して、読み出した各重み付け係数Ａ，Ｂ，Ｃを歌唱力判断部２５へと供給する。
【００５５】
システム制御部７は、予約された曲目コードを約状況・設定判断部２６へと供給するよう構成している。予約状況・設定判断部２６は、システム制御部７から供給された曲目コードに基づいて予約状況を把握するとともに、主制御部２３からの予約状況問い合せに対して予約曲数及び曲目コードを主制御部２３へと供給する。また、この予約状況・設定判断部２６は、入力端末機１２から供給される各種の操作入力を判断して、司会進行用制御装置２２の動作モードを判断し、判断した動作モードの制御信号を主制御部２３へと供給する。
【００５６】
例えば、カラオケ装置１は、歌唱力評価を行なうか否かを選択するメニュー画面に対して、入力端末機１２によって歌唱力評価の要／不要の入力操作がなされると、予約状況・設定判断部２６において歌唱力評価の要／不要を判断する。予約状況・設定判断部２６は、その判断結果を主制御部２３へと供給する。また、カラオケ装置１は、司会進行機能を使用するか否かを選択するメニュー画面に対して、入力端末機１２によって司会進行機能の要／不要の入力操作がなされると、予約状況・設定判断部２６において司会進行機能の要／不要が判断されて、その判断結果が主制御部２３へと供給される。さらに、カラオケ装置１は、司会進行役のタイプやキャラクタを選択するメニュー画面に対して、入力端末機１２によって選択入力操作がなされると、選択指定された内容を主制御部２３へと供給する。
【００５７】
主制御部２３は、開始・終了データに基づいてカラオケ演奏中であるか否かを判断し、予約曲数データに基づいて予約催促の必要があるか否かを判断する。また、主制御部２３は、現在再生中の曲目コードと次に再生する曲目コードとに基づいて、それらの曲に関する情報を司会進行用データ記憶装置２１から読み込むとともに前後の曲の曲調に基づいて司会進行に適する画像データと音声データ、及び演奏データとを選択する。さらに、主制御部２３は、選択した各データを司会進行用データ記憶装置２１から読み込んで、次の曲が再生される間での司会進行の準備を行なう。
【００５８】
そして、主制御部２３は、前の曲の再生が終了すると、準備した画像データを画像モジュール２７へと供給して司会進行用の画像信号を生成・出力させる。主制御部２３は、演奏データを音源モジュール２８へと供給して演奏信号を生成・出力させる。主制御部２３は、音声データを音声モジュール２９へと供給して司会進行用の音声信号を生成・出力させる。同時に、主制御部２３は、司会進行用データ記憶装置２１内に各曲毎に予め設定登録されている演出効果データを読み出して、読み出した演出効果データをその曲の再生に同期させて出力する。
【００５９】
画像モジュール２７は、主制御部２３から画像データが供給されると画像信号を生成して各画像表示装置２，３へと出力する。画像モジュール２７は、各種の画像エンコード方式に対応したデコーダを備えている。音源モジュール２８は、例えばＭＩＤＩ規格等に対応した演奏データに基づいて演奏信号を生成するシンセサイザ等の電子楽器を備えている。音声モジュール２９は、各種のデータ形式に対応する音声データを再生できるようにしている。
【００６０】
カラオケ装置１の全体動作について、図６に示したフローチャートを参照して以下説明する。カラオケ装置１は、カラオケが開始されると、ＤＪ表示用ユニット８が各画像表示装置２，３の画面上にメニュー画面を表示させる（ステップＳ１）。このメニュー画面には、司会進行役のタイプやキャラクタ等を選択するための操作案内が表示される。また、メニュー画面には、歌唱力採点を行なうか否かを選択する案内メニューや、司会進行機能を使用するか否かを選択する案内メニューが表示される。
【００６１】
カラオケ装置１は、上述した案内メニューに基づいてカラオケの利用者が入力端末機１２を介して好みの条件を設定操作することによって、入力された条件が予約状況・設定判断部２６で認識される。この予約状況・設定判断部２６において認識された設定条件は、主制御部２３へと供給される。なお、カラオケ装置１は、メニュー画面を表示せずに予め設定した動作モードでステップＳ２以降の動作を開始するようにしてもよい。
【００６２】
カラオケ装置１は、ＤＪ表示用ユニット８において曲予約がなされているかチェックする（ステップＳ２）。ＤＪ表示用ユニット８は、曲予約がまだなされていない場合、ステップＳ３によって曲予約催促用の画像データ及び音声データを司会進行用データ記憶装置２１から読み出して再生する。これにより、カラオケ装置１は、各画像表示装置２，３の画面に、図７（ａ）に一例の示すように、選定された司会者又は司会進行役のキャラクタ等（以下ディスクジョキーと記す。）が曲予約を催促する映像の表示が行われる。同時に、カラオケ装置１は、スピーカ５から、曲予約を促すディスクジョキーの音声を出力する。
【００６３】
ＤＪ表示用ユニット８は、曲予約がなされると最初の予約曲の曲番数Ｎを１に初期化する（ステップＳ４）。そして、ＤＪ表示用ユニット８は、司会進行用データ記憶装置２１から１曲目の曲目コードに基づいて曲情報データを読み込む（ステップＳ５）。ＤＪ表示用ユニット８は、ステップＳ６で、読み込んだ曲情報データに基づいてその曲に相応しい映像及び音声を設定し、図７（ｂ）に一例を示すように、ディスクジョキーの映像表示と音声出力で曲紹介等を行なう。この曲紹介等に続いて１曲目の再生がなされる（ステップＳ７）。
【００６４】
ＤＪ表示用ユニット８は、ステップＳ９で、次の曲が予約されているか否かチェックする。ＤＪ表示用ユニット８は、次の曲が予約されている場合、ステップＳ９で、ディスクジョッキーを登場させて曲間を盛り上げるための演奏やトークを行なわせる。ＤＪ表示用ユニット８は、ステップＳ１０で曲番数Ｎをインクリメント（＋１）して、次の曲の再生を行なわせる。
【００６５】
ＤＪ表示用ユニット８は、次の曲が予約されていない場合は、ステップＳ１１でディスクジョッキーを登場させ、曲予約を催促する。ここでの、曲予約催促の画像ならびに音声（トーク）の一例を図７（ｃ）に示す。
【００６６】
ＤＪ表示用ユニット８は、ステップＳ１２で、入力端末機１２からカラオケを終了させるための操作入力がなされた否かをチェックする。そして、入力端末機１２からカラオケを終了させるための操作入力が行われたときには、ＤＪ表示用ユニット８は、ステップＳ１３でディスクジョッキーを登場させ終了メッセージを出力する。終了メッセージ用の画像及び音声（トーク）の一例を図７（ｄ）に示す。
【００６７】
図８は、ディスクジョッキーによる曲間盛り上げ機能の動作例を示すフローチャートであり、また図９は、曲間盛り上げ機能中の動画・サンプリング音声の再生動作例を示すフローチャートである。
【００６８】
ＤＪ表示用ユニット８は、Ｎ曲目とＮ＋１曲目の曲情報から前後の曲間をつないで雰囲気を盛り上げるのに好適な盛り上げデータを決定し（ステップＳ２１）、使用する盛り上げデータを探索し（ステップＳ２２）、さらに必要なデータのアドレスとタイムスタンプデータを主制御部２３内のＲＡＭに読み込む（ステップＳ２３）。
【００６９】
ＤＪ表示用ユニット８は、現在再生している曲の例えば終了５秒前になると（ステップＳ２４）、現在再生している曲のピッチにミキシング演奏のピッチを同期させてミキシング演奏を開始させる。この際に、ＤＪ表示用ユニット８は、ミキシング演奏のレベルを上昇させながら、カラオケ再生のレベルを減少させるいわゆるクロスフェードインを行なう（ステップＳ２５）。
【００７０】
ＤＪ表示用ユニット８は、現在再生している曲が終了すると、上述したステップＳ２１乃至ステップＳ２３で準備したこの場面に相応しい動画の再生及びサンプリング音声の再生を行なう（ステップＳ２６）。
【００７１】
ＤＪ表示用ユニット８は、図９に示すように、ステップＳ３１でタイムスタンプデータを読み込むとともにこの読み込んだタイムスタンプデータに基づいて動画再生とサンプリング音声再生の同期をとる。カラオケ装置１は、これにより各画像表示装置２、３に表示される映像と各スピーカ５から再生される音声とが同期される。
【００７２】
ＤＪ表示用ユニット８は、ステップＳ３２で動画再生を行なうことを判定すると、ステップＳ３３で指定された動画用データを読み出して再生する。また、ＤＪ表示用ユニット８は、ステップＳ３４でサンプリング音声再生を行なうことを判定すると、ステップＳ３５で指定されたサンプリング音声データを読み出して再生する。カラオケ装置１は、これにより各画像表示装置２、３及び各スピーカ５に、例えば図１０（ａ）に示すような曲間盛り上げ用の映像及び声とが曲間に再生される。この動画像及びサンプリング音声の再生は、図８に示したステップＳ２７で次のカラオケ曲の演奏準備完了が確認されるまで継続される。
【００７３】
ＤＪ表示用ユニット８は、タイムスタンプデータに基づいて一連の動画像とサンプリング音声の再生を行ないながら、動画像やサンプリング音声の再生停止が不自然とならない時点で、次の曲の準備が完了していれば動画像及びンプリング音声の再生を停止するように構成されている。
【００７４】
ＤＪ表示用ユニット８は、図８に示すように、次の曲の再生準備が完了すると（ステップＳ２７）、次曲案内用の動画データ及び音声サンプリングデータを読み出して再生する（ステップＳ２８）。カラオケ装置１は、これにより各画像表示装置２、３及び各スピーカ５に、例えば図１０（ｂ）に示すような次曲案内用の映像及び音声（トーク）が再生される。ＤＪ表示用ユニット８は、次の曲のピッチにミキシング演奏のピッチを同期させてミキシング演奏を終了させ、カラオケ演奏を開始させる。ＤＪ表示用ユニット８は、この際に、ミキシング演奏のレベルを減少させながら、カラオケ再生のレベルを上昇させるいわゆるクロスフェードアウトを行なう（ステップＳ２９）。
【００７５】
図１１は、クロスフェードイン・クロスフェードアウト及びピッチコントロールの動作例を示す説明図である。ＤＪ表示用ユニット８は、前の曲の終了時点の数秒（例えば５秒）前から電子楽器等によるミキシング演奏を開始させ、ミキシング演奏のレベル（音量）を上昇させながら、カラオケ演奏音（カラオケ再生音）のレベル（音量）を低下させるミキシング演奏のクロスフェードインを行なう。ここで、ミキシング演奏の演奏ピッチは、前の曲のピッチに合せることで、前の曲のイメージやムードを損なわないようにしている。
【００７６】
カラオケ装置１においては、曲間で、各画像表示装置２、３に曲間用の映像が表示されるとともに、各スピーカ５からミキシング演奏を行ないながら各種のトークが行なわれる。ここで、ＤＪ表示用ユニット８は、前の曲の曲情報と次の曲の曲情報とを参照して前後の曲をつなぐのに相応しい映像を選択して各画像表示装置２、３に表示させるとともに、各スピーカ５から前後の曲をつなぐのに相応しいトークを行なわさせる。
【００７７】
さらに、ＤＪ表示用ユニット８は、次の曲のピッチを検出し、前後の曲のピッチの違いが滑らかになるように、ミキシング演奏のピッチを可変するとともに、トークのピッチを可変する。カラオケ装置１は、例えば、前の曲がスローピッチ（テンポ）で次の曲が早いピッチ（テンポ）の曲である場合、最初に前の曲のスローピッチを受けてゆっくりしたピッチのミキシング演奏を開始し、また、ゆっくりしたピッチのトークを開始する。そして、カラオケ装置１は、次第に或いは話題の変換点等のタイミングで、ミキシング演奏のピッチが徐々に或いは急に早いピッチに変化するとともにトークのピッチが変化されて、次の曲のイメージやムードの盛り上げが行われる。そして、ＤＪ表示用ユニット８は、次の曲の開始時点でミキシング演奏のレベルを減少させながら、次のカラオケ演奏のレベルを上昇させる（ミキシング演奏のクロスフェードアウト）。
【００７８】
図１２は、高密度情報記録媒体に格納されている盛り上げデータの構造例を示す説明図である。司会進行用データ記憶装置２１に収納または装着された高密度情報記録媒体には、各種の場面に適した多数の盛り上げデータが、各場面毎に設定された代表アドレスを基準に階層的に格納されている。司会進行用データ記憶装置２１は、例えば主制御部２３において図７（ａ）に示した曲予約催促用の盛り上げデータの代表アドレスＡを指定してアクセスしてくると、この指定された代表アドレスＡから実際に使用するデータアドレスを読み出して主制御部２３へ供給する。
【００７９】
司会進行用データ記憶装置２１は、データアドレスＡ０１を指定することでバック映像データ（司会者等の背景映像データ）を読み出すことができる。同様に、司会進行用データ記憶装置２１は、データアドレスＡ０２からディスクジョッキー（司会者）の動画データを、データアドレスＡ０３からサンプリング音声データを、データアドレスＡ０４から動画・音声・演奏同期用タイムスタンプデータをそれぞれ読み出すことができる。さらに、司会進行用データ記憶装置２１は、データアドレスＡ０５からミキシング演奏用データ（ＭＩＤＩデータ）を、データアドレスＡ０６からミキシング演奏用ピッチコントロールパターンデータを、データアドレスＡ０７から演出装置の演出効果用のデータ（例えば照明制御データ）をそれぞれ読み出すことができる。
【００８０】
図１３は、高密度情報記録媒体に格納されている曲情報データの構造例を示す説明図である。司会進行用データ記憶装置２１に収納または装着された高密度情報記録媒体には、曲目コードに対応する曲番号アドレスを代表アドレスとして、各種の曲情報が階層的に格納されている。司会進行用データ記憶装置２１は、主制御部２３において、例えば最初に演奏する曲目に対応する曲番号アドレスαを指定してアクセスしてくると、この指定された曲番号アドレスαから実際に使用するデータアドレスを読み出して主制御部２３へと供給する。
【００８１】
司会進行用データ記憶装置２１は、データアドレスα０１を指定することで曲名／歌手／リリース時期のデータを読み出すことができる。同様に、司会進行用データ記憶装置２１は、データアドレスα０２から曲調（演歌調，失恋の歌等）とその曲のピッチ（何分の何拍子）のデータを、データアドレスα０３から曲中の間奏時間のデータを、データアドレスα０４から歌唱力を評価するための３種類の重み付け係数データをそれぞれ読み出すことができる。
【００８２】
ここで、データアドレスα０５には、主旋律の周波数の時系列データが格納されている。したがって、司会進行用データ記憶装置２１は、ディスクローダ９に収納されているカラオケディスク内に主旋律の信号が格納されていない場合でも、データアドレスα０５から主旋律の周波数の時系列データを読み出すことで、図４ならびに図５に示した歌唱者の歌唱力の判断を行なうことが可能とされる。
【００８３】
ＤＪ表示用ユニット８は、歌唱者の歌唱力の採点を行なうことが設定されている場合は、歌唱力判断部２５から出力される総合評価値に基づいて、総合評価値に対応した画像データを選択して各画像表示装置２、３に点数とともに表示させ、また、各スピーカ５から音声により点数等を知らせる。
【００８４】
ＤＪ表示用ユニット８は、カラオケディスクのオートチェンジや通信カラオケ装置１０を介してのカラオケデータのダウンロードのために、次の曲の再生に時間を要する場合には、ゲームや占い等のアプリケーションデータを高密度記録媒体から読み出して、ゲームや占い等を実行させて、次の曲が再生されるまでの待ち時間を盛り上げるようにしている。
【００８５】
【発明の効果】
以上説明したようにこの発明に係るカラオケ装置は、高密度記録媒体に格納された各種の画像データ及び音声データを利用して例えば司会者映像及び司会者音声を出力する司会進行用制御装置を備えたので、カラオケの利用状況や前後の曲の曲調に適した映像と音声（トーク）を提供することが可能となり、曲間の待ち時間等に生じる白けた雰囲気を無くしてカラオケの雰囲気をより一層盛り上げることができる。
【図面の簡単な説明】
【図１】この発明に係るカラオケ装置の全体ブロック構成図である。
【図２】この発明に係るＤＪ（ディスクジョッキー）表示用ユニットのブロック構成図である。
【図３】間奏期間と歌声のずれに基づく歌唱力評価の説明図である。
【図４】主旋律の周波数と歌声の周波数との周波数ずれに基づく歌唱力評価の説明図である。
【図５】主旋律の周波数の時間変化度合と歌声の周波数の時間変化度合とのずれに基づく歌唱力評価の説明図である。
【図６】この発明に係るカラオケ装置の全体動作を示すフローチャートである。
【図７】各種の状況におけるディスクジョッキーの画像表示例ならびにトークの内容例を示す説明図である。
【図８】ディスクジョッキーによる曲間盛り上げ機能の動作例を示すフローチャートである。
【図９】曲間盛り上げ機能中の動画・サンプリング音声の再生動作例を示すフローチャートである。
【図１０】曲間盛り上げ用の画像表示例ならびにトークの内容例を示す説明図である。
【図１１】クロスフェードイン・クロスフェードアウトならびにピッチコントロールの動作例を示す説明図である。
【図１２】高密度情報記録媒体に格納されている盛り上げデータの構造例を示す説明図である。
【図１３】高密度情報記録媒体に格納されている曲目コードの構造例を示す説明図である。
【符号の説明】
１  カラオケ装置、２，３  画像表示装置、４  演出装置、５  スピーカ、６マイク、７  システム制御部、８  ＤＪ表示用ユニット、９  ディスクローダ、１０  通信カラオケ装置、１１  リモコン送信機、１２  入力端末機、２１  司会進行用データ記憶装置、２２  司会進行用制御装置、２３  主制御部、２４曲開始・終了／テンポ判断部、２５  歌唱力判断部、２６  予約状況・設定判断部、２７  画像モジュール、２８  音源モジュール、２９  音声モジュール
【図１】
0003551631.tif 000003
【図２】
0003551631.tif 000004
【図３】
0003551631.tif 000005
【図４】
0003551631.tif 000006
【図５】
0003551631.tif 000007
【図６】
0003551631.tif 000008
【図７】
0003551631.tif 000009
【図８】
0003551631.tif 000010
【図９】
0003551631.tif 000011
【図１０】
0003551631.tif 000012
【図１１】
0003551631.tif 000013
【図１２】
0003551631.tif 000014
【図１３】
0003551631.tif 000015